(57)【要約】【課題】任意に合成して作成した動的変化を伴う画像を配信可能とし、配信する画像中に任意の機能を起動するための機能選択ボタンを配置した編集可能なテンプレートを提供する。【解決手段】Ｗｅｂサーバ１と、合成サーバ２と、ファイルサーバ３と、インターネット６に接続してＷｅｂブラウザによる情報検索と画面表示が可能なＰＣ端末７と、携帯電話８と、を備える。ＰＣ端末７で編集し作成したテンプレートをファイルサーバ３に保存しておき、電子メールで保存先のＵＲＬを携帯電話８へ伝達し、これに応じて携帯電話８からのリクエストにより、保存したテンプレートを携帯電話８へダウンロード配信する。【選択図】図２
2007311840.tif 000002
【特許請求の範囲】
【請求項１】
写真画像データをテンプレートに合成して編集しオリジナルテンプレートを作成するためのテンプレート編集システムにおいて、
前記合成と前記編集に必要なパラメータの設定と、前記写真画像データおよび前記テンプレートの選択と、を指示する入力操作を行うための操作端末と、
前記写真画像データと、合成前の前記テンプレートと、作成した前記オリジナルテンプレートと、を保存するためのファイルサーバと、
前記操作端末からの指示に従って前記写真画像データと前記テンプレートを前記ファイルサーバから読み出して合成して編集し作成した前記オリジナルテンプレートを前記ファイルサーバへ保存するための合成サーバと、
を備えることを特徴とするテンプレート編集システム。
【請求項２】
前記ファイルサーバは、
ネットワークを介した前記オリジナルテンプレートのダウンロードリクエストに応じて、該ダウンロードリクエストが指定する前記オリジナルテンプレートをアップロードすることを特徴とする請求項１に記載のテンプレート編集システム。
【請求項３】
前記テンプレートは、
予め設定されたメールアドレス宛の電子メールの送信、予め設定されたＵＲＬのＷｅｂサイトへアクセス、予め設定された電話番号へのダイヤル発信、のうちのすくなくともいずれかの機能を実行するための機能ボタンを備えることを特徴とする請求項１または２に記載のテンプレート編集システム。
【請求項４】
前記写真画像データは、
前記操作端末に入力される前記パラメータに基づいた動的な変化を前記オリジナルテンプレートにおいて実行することを特徴とする請求項１〜３のいずれかに記載のテンプレート編集システム。
【請求項５】
前記ファイルサーバは、
前記オリジナルテンプレートを保存したＵＲＬがリンクされて記載された電子メールを前記操作端末から指示されたメールアドレス宛に送信することを特徴とする請求項１〜４のいずれかに記載のテンプレート編集システム。
【請求項６】
写真画像データをテンプレートに合成して編集しオリジナルテンプレートを作成するためにコンピュータが読み取り可能なテンプレート編集プログラムにおいて、
操作端末への入力操作に応じて、前記合成と前記編集に必要なパラメータの設定と、前記写真画像データおよび前記テンプレートの選択と、を指示するための手段と、
ファイルサーバにおいて、前記写真画像データと、合成前の前記テンプレートと、作成した前記オリジナルテンプレートと、を保存する手段と、
合成サーバにおいて、前記操作端末からの指示に従って前記写真画像データと前記テンプレートを前記ファイルサーバから読み出して合成して編集し作成した前記オリジナルテンプレートを前記ファイルサーバへ保存する手段と、
して前記コンピュータを機能させることを特徴とするテンプレート編集プログラム。
【発明の詳細な説明】
【技術分野】
【０００１】
本発明は、移動通信端末に表示される画面に適用するテンプレートを編集するためのテンプレート編集システムおよびプログラムに関する。
【背景技術】
【０００２】
従来において、携帯電話などの移動通信端末の高機能、高画質、通信速度の高速化などに伴い様々な情報配信を携帯電話に対して行っている。こうした情報配信において、たとえば携帯電話が備える画像表示手段へ任意に作成した画像データを配信し、画像表示する技術が知られている。
【０００３】
携帯電話に配信するために作成される任意の画像データは、たとえば基になる顔の画像を取り込み、この顔の画像に対して予め作成した星形模様などの画像を重ね合わせて合成して作成される。合成によって作成された画像データをネットワークを介して携帯端末装置へ送信し、画像表示手段に表示する（特許文献１参照）。
【０００４】
【特許文献１】特開２００５−０３８１９１号公報
【発明の開示】
【発明が解決しようとする課題】
【０００５】
しかしながら上述した従来技術においては、取り込んだ顔の画像と、予め用意しておいた星形模様などの画像を重ね合わせるのみであり、こうして作成した合成画像を単に携帯電話へ配信するに留まっていた。
【０００６】
本発明はこれらの課題に鑑みてなされたものであり、その目的は、任意に合成して作成した動的変化を伴う画像を配信可能とし、配信する画像中に任意の機能を起動するための機能選択ボタンを配置した編集可能なテンプレートを提供することにある。
【課題を解決するための手段】
【０００７】
上記課題を解決するために請求項１に記載の本発明においては、写真画像データをテンプレートに合成して編集しオリジナルテンプレートを作成するためのテンプレート編集システムにおいて、前記合成と前記編集に必要なパラメータの設定と、前記写真画像データおよび前記テンプレートの選択と、を指示する入力操作を行うための操作端末と、前記写真画像データと、合成前の前記テンプレートと、作成した前記オリジナルテンプレートと、を保存するためのファイルサーバと、前記操作端末からの指示に従って前記写真画像データと前記テンプレートを前記ファイルサーバから読み出して合成して編集し作成した前記オリジナルテンプレートを前記ファイルサーバへ保存するための合成サーバと、を備える。
【０００８】
また、請求項２に記載の本発明は、請求項１において、前記ファイルサーバは、ネットワークを介した前記オリジナルテンプレートのダウンロードリクエストに応じて、該ダウンロードリクエストが指定する前記オリジナルテンプレートをアップロードする。
【０００９】
また、請求項３に記載の本発明は、請求項１または２において、前記テンプレートは、予め設定されたメールアドレス宛の電子メールの送信、予め設定されたＵＲＬのＷｅｂサイトへアクセス、予め設定された電話番号へのダイヤル発信、のうちのすくなくともいずれかの機能を実行するための機能ボタンを備える。
【００１０】
また、請求項４に記載の本発明は、請求項１〜３のいずれかにおいて、前記写真画像データは、前記操作端末に入力される前記パラメータに基づいた動的な変化を前記オリジナルテンプレートにおいて実行する。
【００１１】
また、請求項５に記載の本発明は、請求項１〜４のいずれかにおいて、前記ファイルサーバは、前記オリジナルテンプレートを保存したＵＲＬがリンクされて記載された電子メールを前記操作端末から指示されたメールアドレス宛に送信する。
【００１２】
また、請求項６に記載の本発明は、写真画像データをテンプレートに合成して編集しオリジナルテンプレートを作成するためにコンピュータが読み取り可能なテンプレート編集プログラムにおいて、操作端末への入力操作に応じて、前記合成と前記編集に必要なパラメータの設定と、前記写真画像データおよび前記テンプレートの選択と、を指示するための手段と、ファイルサーバにおいて、前記写真画像データと、合成前の前記テンプレートと、作成した前記オリジナルテンプレートと、を保存する手段と、合成サーバにおいて、前記操作端末からの指示に従って前記写真画像データと前記テンプレートを前記ファイルサーバから読み出して合成して編集し作成した前記オリジナルテンプレートを前記ファイルサーバへ保存する手段と、して前記コンピュータを機能させる。
【発明の効果】
【００１３】
本発明によれば、任意に合成して作成した動的変化を伴う画像を配信可能とし、配信する画像中に任意の機能を起動するための機能選択ボタンを配置した編集可能なテンプレートを提供することができる。
【発明を実施するための最良の形態】
【００１４】
図１は、テンプレート編集システムの実施の形態に係る、全体構成を説明するための構成図を示している。
【００１５】
この図１には、Ｗｅｂサーバ１と、合成サーバ２と、ファイルサーバ３と、ファイルサーバ３と協働してテンプレート編集に必要な処理ソフトウェアと、それに付随する必須な基本パラメータや編集前の各種テンプレートなどの基本データをデータベース化して保存するためのＤＢサーバ４と、外部からの不正アクセスを阻止して情報を保護するためのファイヤウォール５と、ネットワークの一例としてのインターネット６と、インターネット６に接続してＷｅｂブラウザによる情報検索と画面表示が可能なＰＣ端末７と、移動情報通信端末の一例としての携帯電話８と、携帯電話８の通信環境を提供している携帯キャリア９と、携帯キャリア９と契約した携帯電話８にのみ通信を許可するためのゲートウェイサーバ１０と、携帯電話８とゲートウェイサーバ１０とを無線で接続するための無線アンテナ１１が示されている。
【００１６】
次の図２は、テンプレート編集システムの実施の形態に係る、テンプレート編集の処理を説明するためのシーケンス図を示している。
【００１７】
この図２に示すシーケンス図において、まずインターネット６に接続されたＰＣ端末７より素材となる写真画像データがＷｅｂサーバ１へアップロードされる（Ｓ１）。なお、このときにＰＣ端末７の画面にはＷｅｂブラウザなどを介してＷｅｂサーバ１が提供するＷｅｂサイトが表示されている。ＰＣ端末７の操作者はこのＷｅｂサイトを介して所望の写真を画像データとしてアップロード操作する。なお、ここで処理する写真は後述のテンプレートに合成して表示するための写真であり、１枚に限定せず任意の枚数を選択してもよい。
【００１８】
次に、Ｗｅｂサーバ１を介してアップロードされた写真（画像データ）はファイルサーバ３のユーザフォルダに保存される（Ｓ２）。なお、ファイルサーバ３には協働するＤＢサーバ４が接続されるか、あるいは内部に構成されており、テンプレート編集に必要な編集プログラムや基本パラメータ以外に、たとえばユーザフォルダやユーザごとの個人情報をデータベース化して保存してもよい。またこの図２においては、理解を容易にするために図１に示したＤＢサーバ４の記載は省略してある。
【００１９】
次に、ＰＣ端末７からはアップロードした写真に対して、サイズ、位置、回転変数などのパラメータがＷｅｂサーバ１へ転送される（Ｓ３）。
【００２０】
次に、Ｗｅｂサーバ１からはＰＣ端末７に入力された操作に従って指定された写真をファイルサーバ３へリクエストする（Ｓ４）。このリクエストによりファイルサーバ３からは指定された写真ファイルが出力され、Ｗｅｂサーバ１へこの写真ファイルが読み込まれる（Ｓ５）。
【００２１】
ここで、パラメータの転送において行われるＰＣ端末７の操作について図３を参照して説明する。
【００２２】
ＰＣ端末７の画面には図３に示すように写真操作のための操作画面２０と、操作案内を表示するための操作案内表示２１と、操作ボタン２２が表示されている。操作案内表示２１には、たとえば「画像を編集してください。表示されている画像が待ち受けに反映されます。」といった操作案内が表示されている。図示しない操作者は、ＰＣ端末７に表示された操作画面２０に従い、たとえば画像（１）〜（３）についてそれぞれ操作を行う。
【００２３】
この操作としては、それぞれの画像（１）〜（３）ごとに大きさ設定や回転方向の指定（パラメータ）を操作画面２４で行い、さらに画像効果の設定を操作画面２３で行う。操作画面２３においては、画像（１）〜（３）のそれぞれに対して、横スライド、縦スライド、フェード、の各設定（パラメータ）を指定できる。この指定はＰＣ端末７に接続されたインタフェイスのうち、マウスなどにより設定のためのラジオボタンをクリックすることにより完了する。これらの操作が終了した後に、操作ボタン２２をクリックすることで写真（画像）に対する処理を「次へ」か「戻る」の状態へ遷移させることができる。
【００２４】
また、図３を参照して説明した画像に関するパラメータの操作以外に、たとえば図４〜６に示すようにメッセージや各種機能を付与する操作も可能である。
【００２５】
図４は、テンプレートに合成して表示する写真や、あるいはテンプレート上に設けられた位置に任意のテキストデータを表示してメッセージ表示するための操作画面の一例を示している。
【００２６】
操作案内表示２１には「画像にメッセージを入れられます。文字の大きさや数によってはすべて表示できませんので確認項目でご確認ください。」といった操作案内のメッセージが表示される。
【００２７】
また操作画面２０には、メッセージをテキスト入力するための入力欄２５と、メッセージの文字色を設定するための色設定バー２６と、文字のフォント情報を設定するための文字種選択タブ２７と、文字大きさ選択タブ２８と、太文字選択３０と、メッセージを任意方向へスライドさせるための文字スライド選択２９と、が示されている。この操作画面２０の操作により、任意の内容のメッセージを、任意の色、フォント、大きさ、スライド動作、太文字表示などの視覚効果をもって表示させることができる。
【００２８】
図５は、テンプレートに任意の操作機能を付与するための操作画面の一例を示している。
【００２９】
操作案内表示２１には、「あなたが選んだテンプレートは、メール返信設定が可能です。返信用のアドレスとＹＥＳ／ＮＯの場合の決めうちメッセージを入れてください。」といった操作案内のメッセージが表示される。
【００３０】
また操作画面２０には、返信メールを受信するためのメールアドレスを設定する返信メールアドレス入力３１と、テンプレート上で「ＹＥＳ」または「ＮＯ」のいずれかを選択可能にした場合のメール本文設定３２と、が示されている。メール本文設定３２では「ＹＥＳ」または「ＮＯ」と選択された場合のそれぞれの返信メールに記載される「件名」と「本文」をそれぞれ設定することができる。
【００３１】
図６は、一連のテンプレート編集の操作により完成したオリジナルテンプレートを確認するための確認画面の一例を示している。
【００３２】
操作案内表示２１には、「この内容でよろしければ保存名を入れて“次へ”を押してください。」といった操作案内のメッセージが表示される。
【００３３】
また操作画面２０には、オリジナルテンプレートを保存する際の見出しとなる保存名を設定するための保存名入力３３と、操作後に完成したオリジナルテンプレート３４と、返信メッセージ３５が表示される。ここで、保存名入力３３に見出しとして保存後の検索や整理に用いるための保存名（ファイル名）を入力する。入力された保存名はオリジナルテンプレート３４と返信メッセージ３５と共に関連付けされてファイルサーバ３に保存される。
【００３４】
作成されたオリジナルテンプレート３４は、任意の写真が画像として貼付され、任意に作成したメッセージも表示される。さらに図示しない「ＹＥＳ」、「ＮＯ」といった機能ボタンをオリジナルテンプレート３４に設けた場合に、このいずれかが選択された場合の返信メッセージ３５も表示されている。
【００３５】
このようなオリジナルテンプレート３４の具体例としては、たとえば図８に示すように、携帯電話８が備える画像表示手段４０において表示される。ここで画面表示手段４０に表示されるオリジナルテンプレート５０はオリジナルテンプレート３４と同様の処理により作成されたものであり、写真４１と、メッセージ４２と、機能ボタン４３、４４、４５が表示されている。
【００３６】
さらに、写真４１の画像表示は、写真４６に示す３枚組の写真のうちのいずれか１枚が表示される設定である。３枚組の写真の表示の仕方は、たとえば図３に示した操作画面２３の設定で決定されており、横スライドや縦スライド、フェードなどの視覚効果に基づき写真が入れ換わる。
また、メッセージ４２には任意の内容の文章を設定できる。機能ボタン４３は「ＴＥＬ」と表示しておき、この機能ボタン４３を選択することにより予め設定した連絡先（この図８の場合はオリジナルテンプレート５０の送り主の電話番号などが好ましい）へ電話が発信される。同様に、機能ボタン４４には「メール」と表示されており、この機能ボタン４４を選択することにより予め設定された連絡先へメールが送信される。さらに、機能ボタン４５には「ＨＰ」と表示しておき、この機能ボタン４５を選択することにより予め設定したＷｅｂサイト（ＨＰ：ＨｏｍｅＰａｇｅ）へ接続される。
次に、図２のシーケンス図を参照して、ＰＣ端末７においてパラメータが設定された写真は、そのパラメータに従ってＷｅｂサーバ１にて画像処理された後にファイルサーバ３へ再び保存される（Ｓ６）。
次に、ＰＣ端末７に表示されたテンプレート画像の中から操作者が所望するテンプレートが選択され、このテンプレートにファイルサーバ３に処理後に保存された写真を合成した画像をプレビューするためのリクエストが発せられる（Ｓ７）。
次に、プレビューのリクエストに応じてファイルサーバ３は、写真と、ＰＣ端末７のオペレーティングシステム（たとえばＷｉｎｄｏｗｓ（登録商標））に合わせたデータ形式のテンプレートと、を読み込んでプレビュー用の画像データを作成し、Ｗｅｂサーバ１へ送信する（Ｓ８）。
そして、作成されたプレビュー用の画像データはＰＣ端末７へＷｅｂサーバ１から送信されプレビュー表示がされる（Ｓ９）。ここで表示されるプレビューは、たとえば図６に示したオリジナルテンプレート３４や返信メッセージ３５などである。
次に、ＰＣ端末７からマイアルバム保存リクエストがＷｅｂサーバ１へ送信される（Ｓ１０）。このマイアルバム保存リクエストとは、図６に示した保存名入力３３に任意の保存名を入力して「次へ」の操作ボタン２２を選択することによって確定され、送信される。この処理段階で、オリジナルテンプレート３４は保存名に関連付けされてマイアルバムとして個人別に保存される。
次に、フラッシュ合成パラメータ転送がＷｅｂサーバ１からファイルサーバ３へ実行される（Ｓ１１）。ここで実行されるパラメータ転送はＰＣ端末７において操作され設定されたパラメータであって、テンプレートの設定に関するパラメータと、写真の表示設定に関するパラメータ、操作ボタン４３、４４、４５に関する設定のパラメータなどである。具体的には、図３〜６において操作され入力された設定情報をパラメータとしている。
そして、特には、写真を視覚効果により動的に変化させる処理は、静止画を元に動画を作成するための既存のソフトウェアを用いて行うことができる。視覚効果としては、横スライド、縦スライド、フェードなどの動的な効果であり、たとえばＦＬＡＳＨ（登録商標）などの動画作成ソフトを利用してもよい。こうしたソフトで生成されたデータをフラッシュ合成パラメータとしてＷｅｂサーバ１から合成サーバ２へ送信する。
次に、合成サーバ２では写真（画像）とテンプレートを合成処理するために、モバイル用フラッシュテンプレートリクエストをファイルサーバ３へ送信する（Ｓ１２）。ここで要求（リクエスト）されるテンプレートは、携帯電話８などのモバイル機器の規格に合わせて作成されたテンプレートであって、動画ソフトにて編集可能なデータ形式であり、ＰＣ端末７にて選択されたテンプレート（たとえばオリジナルテンプレート３４、５０）と同一デザインのものである。
次に、ファイルサーバ３に予め保存されているモバイル用フラッシュテンプレートのデータが合成サーバ２によって読み込みされる（Ｓ１３）。
次に、合成サーバ２からはモバイル用ＳＷＦ（Ｓｈｏｃｋ  Ｗａｖｅ  Ｆｌａｓｈ（登録商標）、Ｓｍａｌｌ  Ｗｅｂ  Ｆｏｒｍａｔ）ファイル生成後にファイルサーバ３への保存が実行される（Ｓ１４）。この処理によりファイルサーバ３には携帯電話８などのモバイル機器に表示するのに適したテンプレートデータが保存される。
次に、Ｓ１４の処理と同時にモバイル用にデータ変換したテンプレートデータがＷｅｂサーバ１へ送信される（Ｓ１５）。
次に、ＰＣ端末７からダウンロードメール送信リクエストがＷｅｂサーバ１へ送信される（Ｓ１６）。ここでの送信は、図７に示すように、操作画面２０に登録メールアドレスへ送信するための実行画面３６が表示され、この実行画面３６の操作により実行される。送信される先のメールアドレスは、予め設定した登録メールアドレスに送信可能な以外に、メールアドレス入力欄３７に入力した任意のメールアドレスへ送信することも可能である。ここでメール送信が指定された送信先へは、作成してマイアルバムとしてファイルサーバ３に保存されたテンプレートをダウンロードするのに必要な接続先のＵＲＬが記載されたメールが送信される。このメールを受信した側（たとえば携帯電話８）では、このメールに記載されたＵＲＬをクリックして接続することによりテンプレートのダウンロードを開始させることができ、テンプレートを取得することができる。
このテンプレートの取得は、まず、Ｗｅｂサーバ１から携帯電話８にダウンロードメールの送信が実行される（Ｓ１７）。
次に、携帯電話８では受信したダウンロードメールに記載されたＵＲＬをクリックすることによりＷｅｂサーバ１に設定されたＵＲＬに接続し、該当するテンプレートのダウンロード要求を行う（Ｓ１８）。なお、テンプレートのダウンロード要求のみならず、用途によっては携帯電話８の待ち受け画面のダウンロード要求としてもよい。この場合は、待ち受け画面として使用可能なテンプレートを配信する。
次に、Ｗｅｂサーバ１は携帯電話８からのダウンロードリクエストを受けたことに応じて、ファイルサーバ３に対してユーザＳＷＦリクエストを送信する（Ｓ１９）。
次に、ファイルサーバ３はＷｅｂサーバ１から受信したユーザＳＷＦリクエストに応じて、ユーザＳＷＦをＷｅｂサーバ１へ送信して読み込ませる（Ｓ２０）。
そして、Ｗｅｂサーバ１に読み込まれたユーザＳＷＦを携帯電話８へダウンロードする（Ｓ２１）。
以上説明したシーケンスによりＰＣ端末７で編集し作成したテンプレートをファイルサーバ３に保存しておき、電子メールで保存先のＵＲＬを携帯電話８へ伝達し、これに応じて携帯電話８からのリクエストにより、保存したテンプレートを携帯電話８へダウンロード配信することができる。
【図面の簡単な説明】
【００３７】
【図１】テンプレート編集システムの実施の形態に係る、全体構成を説明するための構成図を示す。
【図２】テンプレート編集システムの実施の形態に係る、テンプレート編集の処理を説明するためのシーケンス図を示す。
【図３】パラメータの転送において行われるＰＣ端末の操作を説明するための説明図を示す。
【図４】テンプレートの編集においてメッセージや各種機能を付与する操作を説明するための説明図を示す。
【図５】テンプレートに任意の操作機能を付与するための操作画面の一例を示す。
【図６】一連のテンプレート編集の操作により完成した操作後のテンプレートを確認するための確認画面の一例を示す。
【図７】ＰＣ端末からダウンロードメール送信リクエストを送信するための操作画面と、実行画面の一例を示す。
【図８】ダウンロードしたテンプレートを携帯電話が備える画像表示手段において表示した一例を示す。
【符号の説明】
【００３８】
１…Ｗｅｂサーバ
２…合成サーバ
３…ファイルサーバ
４…ＤＢサーバ
５…ファイヤウォール
６…インターネット
７…ＰＣ端末（情報端末）
８…携帯電話（移動情報端末）
９…携帯キャリア
１０…ゲートウェイサーバ
１１…無線アンテナ
２０…操作画面
２１…操作案内表示
３４、５０…オリジナルテンプレート
４０…携帯画面
【図１】
2007311840.tif 000003
【図２】
2007311840.tif 000004
【図３】
2007311840.tif 000005
【図４】
2007311840.tif 000006
【図５】
2007311840.tif 000007
【図６】
2007311840.tif 000008
【図７】
2007311840.tif 000009
【図８】
2007311840.tif 000010